(57)【特許請求の範囲】
【請求項１】
開いた扉（ドア）がその自重の作用で元の状態に戻るように蝶番を備えた開閉扉装置において、上記扉の表面に被覆部材を取着して該蝶番の上軸部における領域を被覆すると共に、該被覆部材の下端部は下軸部まで延び、該蝶番の上軸部に近接又は当接して戸当り材をパネル面又は壁面に固定し、上記扉が開いた際に、上記被覆部材の先端面が戸当り材に当接して扉の開き度を規制するようにしたことを特徴とする蝶番を備えた開閉扉装置。
【発明の詳細な説明】
【技術分野】
【０００１】
本発明は扉が開く際に生じるグレビティヒンジの隙間に指が挟まることがないように、また該扉の開き度を約９０°に規制する扉装置に関するものである。
【背景技術】
【０００２】
ドア（扉）には開閉手段として一般に蝶番が使用され、該扉は蝶番を中心として開閉することが出来る。この場合、扉が自開又は自閉可能に機能するグレビティヒンジと称する蝶番が使われることが多い。これは手で押し開くことで扉が回転と共に持上げられ、その後手を放すことで該扉の自重によって降下すると共に閉じることが出来る。すなわち、扉を持ち上げた位置エネルギーを消費して閉じることが出来るように成っている。
【０００３】
図５は従来のグレビティヒンジを示している具体例であり、下蝶片（イ）と上蝶片（ロ）が軸（ハ）にて回転可能に軸支され、下蝶片（イ）は固定状態にあるパネル側に取着されると共に上蝶片（ロ）には扉が取付けられる。したがって扉は軸（ハ）を中心として回動することが出来、扉が開かれるならば（ｂ）に示すように上蝶片（ロ）は距離Ｈだけ上昇する。
【０００４】
グレビティヒンジは従来から周知の蝶番である為にその内部構造に関する説明は省略するが、基本的には円筒カムの原理が用いられ、上蝶片（ロ）が回転するならばカム溝に沿って距離Ｈだけ上昇することが出来る。その結果、上蝶片（ロ）は下蝶片（イ）との間に隙間（ニ）が発生し、この隙間（ニ）に指が挟まる事故が起きる。特に、該グレビティヒンジを園児用のトイレに使用する場合、無意識のうちにこの隙間（ニ）に園児の指が挟まってケガをするといった事態となる。
【０００５】
グレビティヒンジは開いた扉をその自重を利用して元の状態に戻すことが出来る利点を有すが、該蝶番に隙間が発生するといった問題もあり、特に園児専用のトイレ扉に用いるには何らかの指挟み防止対策が必要となる。
特開２００３−０４１８５０号に係る「指挟み防止機能付きグレビティヒンジ」は、開閉したドア（扉）がその自重の作用で元の状態に戻るように取付けるグレビティヒンジであって、上蝶片が上昇しても下蝶片との間に隙間が発生しないようにしたグレビティヒンジである。そこで、上蝶片の軸部下端にキャップを回転自在に取付け、下蝶片の軸部に該キャップを嵌め、そしてキャップ側面に形成したスリット溝に下蝶片の羽根が嵌るようにしている。
【特許文献１】特開２００３−０４１８５０号に係る「指挟み防止機能付きグレビティヒンジ」
【発明の開示】
【発明が解決しようとする課題】
【０００６】
このように、グレビティヒンジは扉を開閉する為の蝶番（継手）として多用されているが、扉の開閉に伴って下蝶片と上蝶片との間に隙間が発生する。この隙間に指が挟まらないように上蝶片の軸部にキャップを取付けて構成したものもある。
一方、扉を開く場合、何らかのストッパー（戸当り材）がない限り、該扉を取付けているパネル面又は壁面に当たるまで開くことになり、その結果、扉に備わっている開閉用のハンドルが該パネル面又は壁面に当たって損傷したり、パネル面又は壁面にキズが発生する。
本発明が解決しようとする課題は、グレビティヒンジに代表される蝶番に指を挟む危険を抑制することが出来、しかも扉の開き度が約９０°と成るようにストッパー機能を備えた開閉扉装置を提供する。
【課題を解決するための手段】
【０００７】
本発明に係る開閉扉装置は、扉の蝶番としてグレビティヒンジを備え、開いた扉は自動的に閉じることが出来る。そして、扉の開閉に伴って発生するグレビティヒンジの隙間を被覆して指が入らないように被覆部材を取付けており、該被覆部材の取付け位置は扉の蝶番であるグレビティヒンジ側としている。
【０００８】
ここで、グレビティヒンジの基本的な構造は従来と同じで、下蝶片と上蝶片及び軸を有し、上下蝶片の軸部は軸を中心として回転することが出来、そして上蝶片の上軸部は回転に伴って上昇することが出来るように構成している。
そして、扉が取付けられるパネル面又は壁面にはストッパー（戸当り材）が取着され、扉を開くならば上記被覆部材の先端面が該戸当り材に当接するようにしている。そこで、扉の開き度が約９０°に成ったところで被覆部材の先端面が戸当り材に当接する。
【発明の効果】
【０００９】
本発明の開閉扉装置に用いられるグレビティヒンジは蝶番として機能し、扉の表面には被覆部材を取付けている。該被覆部材によって扉の開閉に伴ってグレビティヒンジの上蝶片の上軸部と下蝶片の下軸部の間に発生する隙間が被覆される。その為に、該隙間に指が挟まってケガすることはなく、扉の開閉が安全に行われる。そこで、園児が使用するトイレの開閉扉に上記グレビティヒンジを取付けた場合であっても、上下軸部間の隙間に園児の指が挟まれることを防止出来る。
【００１０】
さらに、上記被覆部材は扉が開いた際に該扉を取付けているパネル面又は壁面に取着しているストッパー（戸当り材）に当接し、一般に約９０°の開き度と成るように規制される。つまり、従来のように１８０°開くことで扉に取付けたハンドルがパネル面や壁面に当たることはなく、該被覆部材は指挟み防止と扉の開き度を規制する両機能を有している。
ストッパー（戸当り材）は、パネル面又は壁面に固定されることで、指を挟む危険を抑制する機能も備えることが出来る。すなわち、パネル面又は壁面に触れた手指が、誤って扉の蝶番付近に近づいても軽く当たるだけで済み、指を挟む事故を防止出来る。
【図面の簡単な説明】
【００１１】
【図１】トイレブースの外観。
【図２】扉を開閉できるように取付けたグレビティヒンジ。
【図３】（ａ）は扉が閉じている状態、（ｂ）が開いて被覆部材が戸当り材に当接している状態。
【図４】被覆部材の具体例。
【図５】一般的なグレビティヒンジ。
【発明を実施するための形態】
【００１２】
図１はトイレブースを構成している間仕切り装置であり、仕切りパネル１，１・・・が壁面２に対して垂直に起立して正面側へ延び、仕切りパネル１，１・・・の先端には正面パネル３，３・・・が巾木６の上に載って配置されている。そして、隣り合う正面パネル３，３・・の間（トイレブースの正面）に扉４，４・・・が取付けられ、該扉４，４・・・はグレビティヒンジを介して開閉することが出来る。そして、該扉４，４・・・には開閉する為のハンドル５，５・・・が突出して取付けられ、またロック（錠）を設けている。
【００１３】
図２は上記扉４が開閉出来るように取付けている蝶番（グレビティヒンジ）を表し、（ａ）は正面図、（ｂ）は縦断面図である。
グレビティヒンジ７は下蝶片と上蝶片を有し、下蝶片に設けている下軸部８と上蝶片に設けている上軸部９が軸を介して連結され、そして対向面側には円筒カムが形成されている。そして、下蝶片は正面パネル３に固定され、上蝶片には扉４が取付けられている。
そこで、扉４を開くことで上軸部９が回転するならば、上軸部９は押上げられて上蝶片と共に扉４は上昇することが出来る。
【００１４】
同図に示しているように被覆部材１０は扉４に取付けられ、上軸部９を被覆すると共にその下端部は下軸部８まで延びている。すなわち、扉４を開くことで上軸部９が上昇して下軸部８との間に発生する隙間１１を被覆部材１０によって被覆することが出来る。
また、正面パネル３のグレビティヒンジ７に近接して戸当り材１２を取付けている。
【００１５】
図３（ａ）は扉４が閉じている状態を、図３（ｂ）は扉４が開いている状態を表している。扉４に取付けた被覆部材１０は前記図２に示すようにグレビティヒンジ７の上軸部９を被覆しており、（ｂ）に示すように該扉４が開くならば被覆部材１０の先端面１３は上記戸当り材１２に当接する。したがって、扉４は約９０°開いたところで停止することが出来る。ここで、該戸当り材１２に被覆部材１０が当接することで発生する衝撃を緩和する為に、戸当り材１２の材質は一般的にゴム質としている。
【００１６】
図３（ａ）に示すように、扉４が閉じた状態では下軸部８と上軸部９との間の隙間１１は殆どなく、開口１４に指を入れても隙間１１に指が嵌ることはない。しかし、扉４を開いて図３（ｂ）の状態ではグレビティヒンジ７の上軸部９は上昇して下軸部８との間に隙間１１を発生する。この隙間１１は指が嵌る大きさとなるが、扉４が開くと共に被覆部材１０によって開口１４が閉じられることから、指を開口１４に入れることが出来ず隙間１１に指が嵌ることはない。
【００１７】
図４は上記被覆部材１０を示す具体例であり、（ａ）は正面図、（ｂ）は左側面図、（ｃ）は右側面図、（ｄ）は平面図、（ｅ）は（ａ）のａ−ａ断面図をそれぞれ表している。該被覆部材１０は一般に樹脂製であり、扉４に固定する為に２個の穴１５，１５が貫通して設けられ、底面１６には僅かに切り込まれた段差面１７が形成されて、グレビティヒンジ７の上軸部９及び下軸部８に底面１６が接しないように成っている。
【００１８】
被覆部材１０は、扉４を開いた際に先端面１３が戸当り材１２に当たってストッパーとして機能する為に、戸当り材１２に当たった際にモーメントが働かないようにバランス良く取付けられている。しかも、被覆部材１０によって発生するグレビティヒンジ７の隙間１１を被覆できるように下軸部８の上端部まで延びている。
【００１９】
ところで、正面パネル３に固定される上記戸当り材１２は、扉４が開く際のストッパーとして機能するが、一方ではグレビティヒンジ７に発生する隙間に指が挟まれることが防止出来る。すなわち、手指がグラビティヒンジ７に近づこうとしても該戸当り材１２があることで阻止される。
【符号の説明】
【００２０】
１  仕切りパネル
２  壁面
３  正面パネル
４  扉
５  ハンドル
６  巾木
７  グレビティヒンジ
８  下軸部
９  上軸部
10  被覆部材
11  隙間
12  戸当り材
13  先端面
14  開口
15  穴
16  底面
17  段差面
【図１】
0006708406.tif 000002
【図２】
0006708406.tif 000003
【図３】
0006708406.tif 000004
【図４】
0006708406.tif 000005
【図５】
0006708406.tif 000006